(57)【要約】【課題】  この発明は、ホールを有する第1のボディー(5)と、舌片(8)による第2のボディー(1)の円筒状の一端部との間のカップリングに関する。【解決手段】  舌片は、切欠部を有するカッティング・リング(3)の一部を形成し、舌片は螺旋状の巻線であり、舌片は配置の方向に傾斜し、一端部は、リングの弾性変形により配列する間、螺旋部に沿って置き換えることができ、挿入方向と反対方向の力が、リングと第2のボディーの間に及ぼされる場合、追加の圧縮力が舌片と一端部の間に生じ、それによって、第1のボディーにより第2のボディーが回転する場合、軸の移動も生じるために、螺旋部は追従し、第1のボディーの一端部を取り外される。【効果】  2つのボディーの間のカップリングを一体化することが出来、2つのボディーの間のカップリングを取り外すための特別な動作を必要とせず、又特別な工具を使用する必要もなく容易に２つのボディーの間のカップリングを取り外すことが出来る。又、結合した状態で、２つのボディーは互いに非常に堅く、且つ、表面上不可分に結合することが出来る。前記一端部が配置される場合、それの表面を摺動することにより後方方向への動作が阻止される。
2008545109.tif 000002
【特許請求の範囲】
【請求項１】
ホール（例えば軸方向に設けた円筒状のホールのようなホール）を有する第1のボディーと、その中に軸方向を挿入方向として挿入される第２のボディーの円筒状の一端部との間のカップリングと、ホールの内部と一端部の表面あるいはいずれか一方で、対応するボディーに接続され、弾性的に変形可能に拡張する多数の舌片と、舌片を周辺の平面上に実質上配置している自由端縁部と、実質上対称的な回転をするボディーとを有し、それぞれこのボディーの直径は、第２のボディーの一端部の外径より小さいか、あるいは、ホールの直径より大きく、前記舌片は、前記一端部が配置される場合、弾性的に変形し、ある距離以上一端部を配置した後は、挿入方向に対して逆方向の移動が阻止されるように、自由端縁部が表面を摺動する切断刃を形成されたねじ山を有し、弾性的に変形可能なカッティング・リングから構成される２つのボディーの間のカップリングにおいて、
舌片はリングの一部を形成し、
この舌片は突出した螺旋状の巻線であり、
舌片の主方向は、配置方向に実質的なコンポーネントを有し、
舌片の突出している一端縁部は、これら舌片の側部表面により境界を定められ、その側部表面は互いに鋭角に包囲されており、
リングは、第1のボディーに接続され、リングの軸上の位置を定めるスリーブと共同動作し、
さらに、リングは、隣接した一端表面がリングの弾性変形の間に互いに置き換え可能な切欠部を有し、
螺旋部は、配置中に、第２のボディーの端部が、リングが弾性変形している間だけ螺旋部に沿って置き換えられるような直径を有し、舌片の一端縁部は、第2のボディーの端部に弾性的な圧縮力を及ぼし、
リングは、係止手段によって第1のボディーに伴う回転に対抗してロックされ、
また、第1のボディーに接続され、リングと第２のボディーとの間に作用する挿入方向と反対方向の力がリングと第２のボディーとの間に付加された場合に、舌片の一端縁部と第２のボディーの端部との間の圧縮力が付加される原因となっているプレス手段があり、
このように、第2のボディーが第1のボディーの対応する軸芯の回りを回転する場合、螺旋部は、舌片が端部表面で切断されるまでフォローし、その結果、軸芯の相対運動が生じ、そして第2のボディーの端部は、第1のボディーから取り外されること
を特徴とする切断刃を形成されたねじ山を有し、弾性的に変形可能なカッティング・リングから構成される２つのボディーの間のカップリング。
【請求項２】
リングは、例えば鋼、アルミニウムのような金属から構成されること
を特徴とする請求項１に記載の切断刃を形成されたねじ山を有し、弾性的に変形可能なカッティング・リングから構成される２つのボディーの間のカップリング。
【請求項３】
リングは、例えばABS、POMのようなプラスチックから構成されること
を特徴とする請求項１に記載の切断刃を形成されたねじ山を有し、弾性的に変形可能なカッティング・リングから構成される２つのボディーの間のカップリング。
【請求項４】
第2のボディーの前記一端部は、少なくともプラスチック、コンクリート、木材あるいは鉄、アルミニウムあるいは銅のような金属から構成されること
を特徴とする請求項１〜請求項３の何れかに記載の切断刃を形成されたねじ山を有し、弾性的に変形可能なカッティング・リングから構成される２つのボディーの間のカップリング。
【請求項５】
プレス手段は、スリーブの一部を形成し、リングと共同動作する回転に対して対照的な圧力面よりなり、
さらに、軸方向に比例して変化する、例えば、略円錐台の形状に対応する直径を有しており、
リブによって第2のボディーに加えられた圧力が増加するように、リングと第２のボディーとの間の挿入方向と反対方向に働く前記力が、その圧力面を弾性的に変形させること
を特徴とする請求項１〜請求項４の何れかに記載の切断刃を形成されたねじ山を有し、弾性的に変形可能なカッティング・リングから構成される２つのボディーの間のカップリング。
【請求項６】
係止手段は、少なくとも1つの突部、１つの凹部を有し、さらに共同動作し、一方はリング上に位置し、他方はスリーブ上に位置すること
を特徴とする請求項１〜請求項５の何れかに記載の切断刃を形成されたねじ山を有し、弾性的に変形可能なカッティング・リングから構成される２つのボディーの間のカップリング。
【請求項７】
カップリング手段によりスリーブを接続することができるブッシュと、
スリーブとブッシュの間の遷移帯域中にあって、第2のチューブに関するブッシュを密閉するシーリング・リングを備えていること
を特徴とする請求項１〜請求項６の何れかに記載の切断刃を形成されたねじ山を有し、弾性的に変形可能なカッティング・リングから構成される２つのボディーの間のカップリング。
【請求項８】
カップリング手段は、スリーブ上に存在するねじ山と、
それと同時に共同動作するブッシュ上に存在するねじ山とから構成されていること
を特徴とする請求項７に記載の切断刃を形成されたねじ山を有し、弾性的に変形可能なカッティング・リングから構成される２つのボディーの間のカップリング。
【請求項９】
カップリング手段はスナップ手段からなり、
このカップリング手段は共同動作する少なくとも１個の突部と凹部とからなり、そのうちの一方はスリーブ上に位置し、他方はブッシュ上に位置していること
を特徴とする請求項７に記載の切断刃を形成されたねじ山を有し、弾性的に変形可能なカッティング・リングから構成される２つのボディーの間のカップリング。
【請求項１０】
ブッシュは、第1のボディーまたは第2のボディーまたはその両方の先端の軸方向の位置を限定する軸方向のストッパーから構成されること
を特徴とする請求項１〜請求項９の何れかに記載の切断刃を形成されたねじ山を有し、弾性的に変形可能なカッティング・リングから構成される２つのボディーの間のカップリング。
【請求項１１】
第1のボディーは、チューブまたはチューブの切取り部分から構成されること
を特徴とする請求項１〜請求項１０の何れかに記載の切断刃を形成されたねじ山を有し、弾性的に変形可能なカッティング・リングから構成される２つのボディーの間のカップリング。
【発明の詳細な説明】
【技術分野】
【０００１】
この発明は、ホール（例えば軸方向に設けた円筒状のホール）を有する第1のボディーと、その中に軸方向を挿入方向として挿入される第２のボディーの円筒状の一端部との間のカップリングに関し、 ホールの内部と一端部の表面あるいはいずれか一方で、対応するボディーに接続され、弾性的に変形可能に拡張する多数の舌片と、舌片を周辺の平面上に実質上配置している自由端縁部と、実質上対称的な回転をするボディーと、それぞれこのボディーの直径は、第２のボディーの一端部の外径より小さいか、あるいは、ホールの直径より大きく、前記舌片は、前記一端部が配置される場合、弾性的に変形し、ある距離以上一端部を配置した後は、挿入方向に対して逆方向の移動が阻止されるように、自由端縁部が表面を摺動する。
【背景技術】
【０００２】
従来のカップリングは、EP-A-0 378
035、EP-A-0 212 883、EP-A-0 579 194、EP-A-0 294 948、EP-A-0 972 981およびDE-A-197 23 594からも知られている。
【非特許文献１】EP-A-0 378035
【非特許文献２】EP-A-0 212883
【非特許文献３】EP-A-0 579194
【非特許文献４】EP-A-0 294948
【非特許文献５】EP-A-0 972981
【非特許文献６】DE-A-197 23594
【発明の開示】
【発明が解決しようとする課題】
【０００３】
上記先行技術に対して、この発明は、2つのボディーの間のカップリングを一体化することを目的とし、さらに、2つのボディーの間のカップリングを取り外すための特別な動作を必要とせず、又特別な工具を使用する必要もなく容易に２つのボディーの間のカップリングを取り外すことができるようにすることを目的とし、結合した状態で、２つのボディーは互いに非常に堅く、且つ、表面上不可分に結合されていることを目的としている。
【０００４】
さらに他の目的は、前文で特徴とした形状のカップリングで実現される。即ち、前文では、舌片はリングの一部を形成し、
舌片は、突出した螺旋状の巻線であり、
舌片の主方向は、配置方向に実質的なコンポーネントを有し、
舌片の突出している一端縁部は、これら舌片の側部表面により境界を定められ、その側部表面は互いに鋭角に包囲されており、
リングは、第1のボディーに接続され、リングの軸上の位置を定めるスリーブと共同動作し、さらに、リングは、隣接した一端表面がリングの弾性変形の間に互いに置き換え可能な切欠部を有し、
螺旋部は、配置中に、第２のボディーの端部が、リングが弾性変形している間だけ螺旋部に沿って置き換えられるような直径を有し、舌片の一端縁部は、第2のボディーの端部に弾性的な圧縮力を及ぼし、
リングは、係止手段によって第1のボディーに伴う回転に対抗してロックされ、
また、第1のボディーに接続され、リングと第２のボディーとの間に作用する挿入方向と反対方向の力がリングと第２のボディーとの間に付加された場合に、舌片の一端縁部と第２のボディーの端部との間の圧縮力が付加される原因となっているプレス手段があり、
このように、第2のボディーが第1のボディーの対応する軸芯の回りを回転する場合、螺旋部は、舌片が端部表面で切断されるまでフォローし、その結果、軸芯の相対運動が生じ、そして第2のボディーの端部は、第1のボディーから取り外されることを目的としている。
【課題を解決するための手段】
【０００５】
請求項１に係る発明は、ホール（例えば軸方向に設けた円筒状のホールのようなホール）を有する第1のボディーと、その中に軸方向を挿入方向として挿入される第２のボディーの円筒状の一端部との間のカップリングと、ホールの内部と一端部の表面あるいはいずれか一方で、対応するボディーに接続され、弾性的に変形可能に拡張する多数の舌片と、舌片を周辺の平面上に実質上配置している自由端縁部と、実質上対称的な回転をするボディーとを有し、それぞれこのボディーの直径は、第２のボディーの一端部の外径より小さいか、あるいは、ホールの直径より大きく、舌片は、一端部が配置される場合、弾性的に変形し、ある距離以上一端部を配置した後は、挿入方向に対して逆方向の移動が阻止されるように、自由端縁部が表面を摺動する切断刃を形成されたねじ山を有し、弾性的に変形可能なカッティング・リングから構成される２つのボディーの間のカップリングにおいて、
舌片はリングの一部を形成し、
この舌片は突出した螺旋状の巻線であり、
舌片の主方向は、配置方向に実質的なコンポーネントを有し、
舌片の突出している一端縁部は、これら舌片の側部表面により境界を定められ、その側部表面は互いに鋭角に包囲されており、
リングは、第1のボディーに接続され、リングの軸上の位置を定めるスリーブと共同動作し、
さらに、リングは、隣接した一端表面がリングの弾性変形の間に互いに置き換え可能な切欠部を有し、
螺旋部は、配置中に、第２のボディーの端部が、リングが弾性変形している間だけ螺旋部に沿って置き換えられるような直径を有し、舌片の一端縁部は、第2のボディーの端部に弾性的な圧縮力を及ぼし、
リングは、係止手段によって第1のボディーに伴う回転に対抗してロックされ、
また、第1のボディーに接続され、リングと第２のボディーとの間に作用する挿入方向と反対方向の力がリングと第２のボディーとの間に付加された場合に、舌片の一端縁部と第２のボディーの端部との間の圧縮力が付加される原因となっているプレス手段があり、
このように、第2のボディーが第1のボディーの対応する軸芯の回りを回転する場合、螺旋部は、舌片が端部表面で切断されるまでフォローし、その結果、軸芯の相対運動が生じ、そして第2のボディーの端部は、第1のボディーから取り外されることを特徴とする。
【０００６】
請求項２に係る発明は、請求項１に係る発明において、リングは、例えば鋼、アルミニウムのような金属から構成されることを特徴とする。
【０００７】
請求項３に係る発明は、請求項１に係る発明において、リングは、例えばABS、POMのようなプラスチックから構成されることを特徴とする。
【０００８】
請求項４に係る発明は、請求項１〜請求項３に係る発明において、第2のボディーの前記一端部は、少なくともプラスチック、コンクリート、木材あるいは鉄、アルミニウムあるいは銅のような金属から構成されることを特徴とする。
【０００９】
請求項５に係る発明は、請求項１〜請求項４に係る発明において、プレス手段は、スリーブの一部を形成し、リングと共同動作する回転に対して対照的な圧力面よりなり、
さらに、軸方向に比例して変化する、例えば、略円錐台の形状に対応する直径を有しており、
リブによって第2のボディーに加えられた圧力が増加するように、リングと第２のボディーとの間の挿入方向と反対方向に働く力が、その圧力面を弾性的に変形させることを特徴とする。
【００１０】
請求項６に係る発明は、請求項１〜請求項５に係る発明において、係止手段は、少なくとも1つの突部、１つの凹部を有し、さらに共同動作し、一方はリング上に位置し、他方はスリーブ上に位置することを特徴とする。
【００１１】
請求項７に係る発明は、請求項１〜請求項６に係る発明において、カップリング手段によりスリーブを接続することができるブッシュと、
スリーブとブッシュの間の遷移帯域中にあって、第2のチューブに関するブッシュを密閉するシーリング・リングを備えていることを特徴とする。
【００１２】
請求項８に係る発明は、請求項７に係る発明において、カップリング手段は、スリーブ上に存在するねじ山と、
それと同時に共同動作するブッシュ上に存在するねじ山とから構成されていることを特徴とする。
【００１３】
請求項９に係る発明は、請求項７に係る発明において、カップリング手段はスナップ手段からなり、
このカップリング手段は共同動作する少なくとも１個の突部と凹部とからなり、そのうちの一方はスリーブ上に位置し、他方はブッシュ上に位置していることを特徴とする。
【００１４】
請求項１０に係る発明は、請求項１〜請求項９に係る発明において、ブッシュは、第1のボディーまたは第2のボディーまたはその両方の先端の軸方向の位置を限定する軸方向のストッパーから構成されることを特徴とする。
【００１５】
請求項１１に係る発明は、請求項１〜請求項１０に係る発明において、第1のボディーは、チューブまたはチューブの切取り部分から構成されることを特徴とする。
【発明の効果】
【００１６】
2つのボディーの間のカップリングを一体化することが出来るとともに、さらに、2つのボディーの間のカップリングを取り外すための特別な動作を必要とせず、又特別な工具を使用する必要もなく容易に２つのボディーの間のカップリングを取り外すことが出来、結合した状態で、２つのボディーは互いに非常に堅く、且つ、表面上不可分に結合することが出来る。
【００１７】
リングは材料により構成され、さらに、以下のようにモデル化される。即ち、２つのボディーの間のカップリングがなされた場合、弾性変形が舌片に生じ、次いで、舌片の自由端縁部は、第2のボディーの互いに関連する表面に沿って摺動するような方法で動く。後方方向の動きは、舌片の主方向をいずれか一方に選ぶことによりブロックされる。カップリングは、２つのボディー間の回転力を働かせることにより取り外すことが可能である。それによって２つのボディーは、螺旋部によって形成された舌片の可塑性の変形かあるいは切削動作によってスクリューのようにして互いに分離される。
【００１８】
リングは、任意の適切な材料から構成することが出来る。これは舌片の材料が十分大きな硬度を有し、適切な形状で結合していることが条件で、先に述べたように、この発明による動作によれば、第2のボディーの表面の材料に対して、有効に実現することが出来る。
【００１９】
並進運動中の後方への変位は、単独では不可能であり、後方方向の動きは、螺旋状の動作の並進運動で一緒に動くような回転でのみ可能である。
【発明を実施するための最良の形態】
【００２０】
ホール（例えば軸方向に設けた円筒状のホールのようなホール）を有する第1のボディーと、その中に軸方向を挿入方向として挿入される第２のボディーの円筒状の一端部との間のカップリングと、ホールの内部と一端部の表面あるいはいずれか一方で、対応するボディーに接続され、弾性的に変形可能に拡張する多数の舌片と、舌片を周辺の平面上に実質上配置している自由端縁部と、実質上対称的な回転をするボディーとを有し、それぞれこのボディーの直径は、第２のボディーの一端部の外径より小さいか、あるいは、ホールの直径より大きく、舌片は、一端部が配置される場合、弾性的に変形し、ある距離以上一端部を配置した後は、挿入方向に対して逆方向の移動が阻止されるように、自由端縁部が表面を摺動する切断刃を形成されたねじ山を有し、弾性的に変形可能なカッティング・リングから構成される２つのボディーの間のカップリングにおいて、舌片はリングの一部を形成し、この舌片は突出した螺旋状の巻線であり、舌片の主方向は、配置方向に実質的なコンポーネントを有し、舌片の突出している一端縁部は、これら舌片の側部表面により境界を定められ、その側部表面は互いに鋭角に包囲されており、リングは、第1のボディーに接続され、リングの軸上の位置を定めるスリーブと共同動作し、さらに、リングは、隣接した一端表面がリングの弾性変形の間に互いに置き換え可能な切欠部を有し、螺旋部は、配置中に、第２のボディーの端部が、リングが弾性変形している間だけ螺旋部に沿って置き換えられるような直径を有し、舌片の一端縁部は、第2のボディーの端部に弾性的な圧縮力を及ぼし、リングは、係止手段によって第1のボディーに伴う回転に対抗してロックされ、また、第1のボディーに接続され、リングと第２のボディーとの間に作用する挿入方向と反対方向の力がリングと第２のボディーとの間に付加された場合に、舌片の一端縁部と第２のボディーの端部との間の圧縮力が付加される原因となっているプレス手段があり、このように、第2のボディーが第1のボディーの対応する軸芯の回りを回転する場合、螺旋部は、舌片が端部表面で切断されるまでフォローし、その結果、軸芯の相対運動が生じ、そして第2のボディーの端部は、第1のボディーから取り外される。
【実施例１】
【００２１】
以下、この発明を、図１〜図２に基づいて説明する。
【００２２】
第１の実施例では、この発明によるカップリングは、以下の様な特徴を有している。即ち、リングは、例えば鋼、アルミニウムのような金属で構成されている。
【００２３】
他の実施例では、この発明によるカップリングは、以下の様な特徴を有している。即ち、リングは、例えばABS、POMのようなプラスチックで構成されている。この実施例では、リングは、例えば射出成形によって製造することができる。
【００２４】
この発明のさらに他の実施例によれば、この発明によるカップリングは、以下の様な特徴を有している。即ち、少なくとも第2のボディーの前記一端部は、プラスチック、コンクリート、木材若しくは鉄、銅あるいはアルミニウムのような金属で構成されている。第2のボディーの材料で、上述した方法で効果的に共同動作することができるように、舌片の材料を選択することは重要である。
【００２５】
カップリングの好適な具体例は、下記の通りである。即ち、プレス手段はスリーブの一部を形成し、リングと共同動作する回転に対して対照的な圧力面よりなり、さらに、軸方向に比例して変化する、例えば、略円錐台の形状に対応する直径を有しており、リブによって第2のボディーに加えられた圧力が増加するように、リングと第２のボディーとの間の挿入方向と反対方向に働く前記力が、その圧力面を弾性的に変形させる。
【００２６】
この実施例は以下のような大きな効果がある。即ち、後方方向への力が増加されるにつれて、後方方向への第2のボディーの軸方向の変位が増強されるのに対抗して、舌片自身の作用も効果的に強化する。
【００２７】
係止手段は任意の適切な方法で具体化することができる。下記の実施例は好適である。即ち、係止手段は少なくとも1つの突部と、この突部と共同動作する凹部とを有し、一方はリング上に位置し、他方はスリーブ上に位置する。
【００２８】
この発明によるカップリングでは、互いに連結する２つのボディー間を気密に接続することは、多くの場合必要である。
【００２９】
この目的のために、この発明によるカップリングは、カップリング手段によりスリーブを接続することができるブッシュと、スリーブとブッシュの間の遷移帯域中にあって、第2のチューブに関するブッシュを密閉するシーリング・リングとを備えている。
【００３０】
後者の実施例は、以下の様な特徴を有している。即ち、カップリング手段は、スリーブ上に存在するねじ山、および、それと同時に共同動作するブッシュ上に存在するねじ山とにより構成されている。
【００３１】
他の変形例としては、このカップリングでは、以下のような特徴を有している。即ち、カップリング手段はスナップ手段からなり、このスナップ手段は少なくとも1個の突部とこの突部と共同動作する凹部とからなり、そのうちの一方はスリーブ上に位置し、他方はブッシュ上に位置している。
【００３２】
特定の実施例では、この発明によるカップリングは、以下の様な特徴を有している。即ち、ブッシュは、第1のボディー、および(または)第2のボディーの先端の軸方向の位置を限定する軸方向のストッパーで構成されている。この実施例を用いれば、カップリングは、第1のボディーの円筒状のホールの中に、ある軸方向の力で第2のボディーの円筒状の一端部を挿入するという非常に簡単な方法で達成することができる。ここで、軸方向の挿入距離は前記軸方向のストッパーによって決定される。この軸方向のストッパーは、例えば、第2のボディーの一端部の先端側面に対向して横方向に向いている環状の突出部として具体化することができる。
【００３３】
この発明の確定した実施例によれば、カップリングは、以下の様な特徴を有している。即ち、第1のボディーは、チューブまたはチューブの切取り部分で構成されている。この発明によるカップリングは、例えば2本のチューブのカップリングに適用可能である。両側のカップリング・スリーブは、例えば、2つの関連するリングを使ってそれぞれのチューブの端部へ連結することができる。そのようなスリーブは、任意に外部スリーブまたは内部スリーブにすることが出来る。外部スリーブの場合には、互いに連結する2本のチューブ間の接続では、これらのチューブがそれぞれの自由端縁部で互いに対向して止まるように構成されている。適切なシーリング手段、例えば、外部スリーブの内部表面にあるシーリング・リングを使用することにより、中間部をしっかり固定したシーリングを十分保証することができる。
【００３４】
次に、この発明の第1の実施例を、図1に基づいて説明する。
【００３５】
図1Aは、この発明によるカップリングの第1の実施例を示す分解側面図である。図1Bは、この図1Aに対応する横断面図、図1Cは、図1Aおよび1Bに対応する分解斜視図である。この図1A、1Bおよび1Cは、この発明によるカップリングの第1の実施例を示す3つの相互に対応する分解斜視図である。
【００３６】
カップリング1は、ブッシュ5からなる第1のボディーと、チューブ1からなる第2のボディーと、スリーブ2と、舌片8を備えたカッティング・リング3と、第1のシーリング・リング4とから構成される。
【００３７】
チューブ1とブッシュ5の間のカップリングを行うのに先立って、第1のシーリング・リング4は、この目的のために用いられる環状凹部17の中に最初に配置される。その後、スリーブ2は、カッティング・リング3を包囲するとともに、スナップ手段でブッシュ5の上に配置される。このスナップ接続は、ブッシュ5上にある環状の外部スナップ端部14と、スリーブ2内において、外部スナップ端部14と対応する内部凹部15との間の共同動作によりなされる。
【００３８】
第1のシーリング・リング4は、チューブ1のある弾性変形により通過可能となるような直径を有している。その結果として、効果的な気密性が得られる。
【００３９】
チューブ1が、スリーブ2の開口部18を介して、変形したユニット2、3、4、5に挿入されるとき、チューブ1はカッティング・リング3を通過する。カッティング・リング3は、内部側部に配置され、螺旋状の巻線7により具体化されている多くの舌片8を有している。
【００４０】
特に図1Bに示すように、舌片の主方向は配置方向に実質的なコンポーネントを有している。舌片8の突出する一端縁部は、これらの舌片の側部表面によって定められる。これらの舌片の側部表面は、この実施例では、約60°の角度で、互いに鋭角に包囲されている。
【００４１】
図面中において、右に向けられた舌片の傾斜した部位のために、舌片により可塑性の変形が可能であるチューブ1は、摺動接触をしながらこれらの舌片を通過可能としている。その後、カッティング・リング3は、拡張させられる。
【００４２】
これは、リング3に一定の圧縮性および拡張性を伝える切欠部9の存在により可能となる。両方の特性は重要である。
【００４３】
結局、カッティング・リング3が挿入される時、舌片8の頂部によって規制される想像上の円筒より大きな直径を有しているチューブ1は、これら舌片を、別々に押さなければならない。
【００４４】
カッティング・リングは拡張し、図1中で右に移動するチューブは、カッティング・リング3を介して押し広げることが可能である。ここで、舌片8の一端縁部はチューブ1の外側表面上を摺動する。この変位は、如何なる場合でも第1のシーリング・リング4を越えた任意の距離にわたり継続されなければならない。
【００４５】
後方方向への動きは、舌片の前記傾斜した箇所によって阻止される。この後方方向への動きを阻止する突っ張り動作が、一定の条件の下で不十分の場合には、この突っ張り動作は、スリーブ2の先細になっている内側表面12とカッティング・リング3の先細になっている外側表面13との間の共同動作によって向上させることが可能である。
【００４６】
後方方向への変位を試みた場合、内側表面12によって、カッティング・リング上に加えられる力は、カッティング・リング3を圧縮するようになり、そのため、チューブに接触する舌片8の一端縁部の数が増加するので、多かれ少なかれ引張力に比例してチューブに後方方向への動きを阻止する力が加わる。
【００４７】
軸方向の後方への変位によって、ユニット2、3、4、5のコンビネーションからチューブ1を取り除くことが不可能であることはこれによって明白であろう。
【００４８】
前記コンビネーションとチューブ1との相対的回転によってのみ、前記コンビネーションからチューブ1を取り外すことが可能である。この回転によって舌片8は、チューブ1の外側表面にねじ山を切り、その結果として、チューブ1の外側表面は可塑性の傷が付くが、失われることはない。取り外されたチューブ1は再び挿入可能で、再度挿入することで、カップリングを再度達成することが出来る。
【００４９】
第1のシーリング・リング4が、挿入方向においてカッティング・リング3の後方向に位置することは重要である。
【００５０】
後者のことは、結局チューブ1の外側表面が損傷され、この損傷した外側表面は、ある状況では想像できないが第1のシーリング・リングを備えたシールを形成することができる。
【００５１】
カッティング・リング3とスリーブ2との相対的な回転を不可とすることは非常に重要である。この目的のために、内側表面12は、軸方向に伸びるリブ10を有している。リブ10は、リング3の外側表面中の軸方向に伸びる凹部11と共同動作する。
【００５２】
この方法では、カッティング・リング3に対してチューブ1の回転が阻止される。したがって、チューブ1を取り外すための回転力は、必ずこのチューブ1とスリーブ2との間に及ぼされる。2つのうちの1つは希望通りに回転可能である。
【００５３】
この実施例では、スリーブ2およびブッシュ5が上記したスナップ接続で相互に接続されており、スリーブ2は回転可能であり、また、そのために、例えば、非丸形の外側表面が提案されている。その結果、例えば、適当な工具を使用することでチューブ1に関連して回転させることができる。この回転中に、チューブ1は舌片8との係合が外れるまで、徐々に外側へ移動される。
【００５４】
図1は、ブッシュ5が対称な形状であることを示している。従って、これは第2のシーリング・リング6が適合可能な第2の凹部19を有している。図面中には表示されていないが、ブッシュの右側には、第２のカッティング・リング、第２のスリーブおよび第２のチューブを作成することが出来る。従って、好適な構造は、この発明による2つのカップリング型からなる。
【００５５】
カッティング・リング3は、例えばアルミニウムまたは鋼のような金属から構成されるか、例えばPOM、ABSのようなプラスチックで具体化することが可能である。チューブ1は、カッティング・リング3を備え、上記の方法で共同動作することが可能なPVCあるいは別の材料から構成することができる。
【００５６】
注目すべき事は、以下の通りである。即ち、図1Cに示す典型的な実施例では、ブッシュ5はチューブの一部にしっかりと接続することができるか、チューブの一部を形成することができるという観点から変形可能である。その結果、図1に示すように、この発明によるカップリングは1つだけ要求されている。しかしながら、図1B示すカップリングは、より汎用的で、また要求されたサイズを有する未完成なチューブを相互に接続することも可能にしている。
【００５７】
さらに注目すべき事は、相互に連結されるチューブが必ずしも同じ直径を持つ必要はないという事実である。このように、両側に異なる直径を有するチューブを提供することができるように、ブシュ5を具体化することができる。その場合、関連するシーリング・リング6、関連するカッティング・リングおよび関連するスリーブの変形しない直径は、もちろんそれに応じて調節される。
【実施例２】
【００５８】
次に、この発明の第2の実施例を、図2に基づいて説明する。この第2の実施例は、図1に示す第１の実施例とは対照的に、スリーブの内部にあり、さらに、ブッシュ23の外側表面にある雄ねじのねじ山25と共同動作するねじ山21を用いて、スリーブ20はブッシュ23に接続される。
【００５９】
この実施例では、第1のシーリング・リング4は図1に示す凹部に適合しないが、チューブ1の開口縁部26と、ブッシュ23の内部で軸方向のストッパーとして作用する環状の突出部16の間に封入されている。
【００６０】
図2に示すように、カッティング・リング22はスリーブ20の内部に配置され、第1のシーリング・リング4はブッシュ23とカッティング・リング22との間に配置され、そのことによって、スリーブ20はブッシュ23上にねじ留めされる。
【００６１】
カッティング・リング3とは対照的に、カッティング・リング22はフランジ端部24を有している。
【００６２】
図2に示す実施例の注目すべきことは、摩擦によるものとは別に回転に対してカッティング・リング22をロックする特定の条件は生じないということである。
【００６３】
この実施例では、チューブ1が回転によって取り外される場合、カッティング・リング22に及ぼされる摩擦力は、意図しないカッティング・リング22の回転が生じないような十分に大きい力であることが確認されている。
【００６４】
この場合、図1に示す実施例で適用されているように、リブおよびこれに対応する凹部を利用することは必要ではない。例えば、特殊な材料を選択することによって意図しない回転が発生することが、テスト中に見出されるべきであり、それによってチューブ１は、この発明に従って取り外すことが出来ないかあるいは、困難となる。そのため、図1に示すように、回転係止手段を活用することが出来る。
【００６５】
もし必要ならば、接着剤による接続を活用することができる。その場合、発明によって要求されているカッティング・リングの変形態様は、本質的な影響を与えない。
【００６６】
図1A、1B及び1Cと同様に、図2A、2B及び2Cは、2本のチューブ間のカップリングの一部だけを示している。図示されていないが、ブッシュ23の右側に、左側のと同じような構造、すなわちシーリング・リング、カッティング・リング、スリーブ、第2のチューブがある。
【００６７】
さらに第1の典型的な実施例に関して注目したように、チューブも、既に、雄ねじのねじ山25を備えたブッシュ23としてこの実施例中に提示することができる。
【００６８】
異なる直径を有する相互に連結されるチューブに活用することができる。
【００６９】
2つの上記典型的な実施例では、カッティング・リングが内部螺旋部を備えている構造を利用していることに注目する。しかしながら、その発明は、さらに、カッティング・リングが外部螺旋部に活用される構造に関している。
【００７０】
上述した例は制限的なものではなく、この発明の応用可能な例としてのみ開示されている。重要なことは、2つのボディーに軸引張力を及ぼすだけでは、固定しているカップリングを取り外すことができないということである。この発明によるカップリングによる接続は、上記の方法で相対的にボディーを回転させることによりのみ取り外すことができる。
【産業上の利用可能性】
【００７１】
相互に連結される円筒状のチューブとチューブとを、互いに接続・取り外し出来るようにしたカップリングに関するものであるから、円筒状のチューブを使用するあらゆる分野で利用可能である。この発明は、チューブを連結するのに適しているだけでなく、一般に、ホールを有するボディーを、例えば固いロッドのような円筒状の一端部を少なくとも1つ有している他のボディーに連結するのに適している。また、この発明によるカップリングでは、このように、例えば木製のポストのような郵便ポストを屋外に配置するのに利用可能である。テーブル脚も、この発明によるカップリングを使用して、ホールを有するテーブルの上面に接続可能で、適当なホールを有するハンマーヘッドも、この発明によるカップリングとともに取手に接続可能である。
【図面の簡単な説明】
【００７２】
【図１Ａ】この発明によるカップリングの第1の実施例を示す分解側面図である。
【図１Ｂ】図1Aに対応する横断面図である。
【図１Ｃ】図1Aおよび1Bに対応する分解斜視図である。
【図２Ａ】この発明によるカップリングの第2の実施例を示す分解側面図である。
【図２Ｂ】図2Aに対応する横断面図である。
【図２Ｃ】図2Aおよび2Bに対応する分解斜視図である。
【符号の説明】
【００７３】
２      スリーブ
５      ブッシュ
７      螺旋状の巻線
８      舌片
９      切欠部
１０    リブ
２０    スリーブ
２３    ブッシュ
【図１Ａ】
2008545109.tif 000003
【図１Ｂ】
2008545109.tif 000004
【図１Ｃ】
2008545109.tif 000005
【図２Ａ】
2008545109.tif 000006
【図２Ｂ】
2008545109.tif 000007
【図２Ｃ】
2008545109.tif 000008
【国際調査報告】
2008545109.tif 000009
2008545109.tif 000010